(57)【要約】【課題】外部機器との間でデータの送受信を簡単且つ確実に行うことができる携帯機器を提供すること。【解決手段】無線通信部１７は、通信距離が短く高速な通信が可能な高速無線通信部１８と、この高速無線通信部１８と比較して通信距離が長く低速な通信が可能な低速無線通信部１９とを備える。通信状態判定部２１５は、高速無線通信部１８による通信の通信状態および低速無線通信部１９による通信の通信状態を判定する。通信切換制御部２１１は、高速無線通信部１８や低速無線通信部１９による通信の通信状態、外部機器に対して送信する送信データ量等をもとに、高速無線通信部１８を介した外部機器との通信と低速無線通信部１９を介した外部機器との通信とを切り換えて外部機器に対するデータの送信を制御する。【選択図】図９
2010136216.tif 000002
【特許請求の範囲】
【請求項１】
通信距離が短く高速な通信が可能な第１の無線通信部と、
前記第１の無線通信部と比較して通信距離が長く低速な通信が可能な第２の無線通信部と、
前記第１の無線通信部または前記第２の無線通信部を介して外部機器との通信を実行し、少なくとも前記外部機器に対するデータの送信を制御する通信制御部と、
前記第１の無線通信部または前記第２の無線通信部を介した前記外部機器との通信の通信状態を判定する通信状態判定部と、
を備え、
前記通信制御部は、前記通信状態判定部によって判定された前記通信状態および／または前記外部機器に対して送信する送信データ量をもとに、前記第１の無線通信部を介した前記外部機器との通信と、前記第２の無線通信部を介した前記外部機器との通信とを切り換えて前記外部機器に対するデータの送信を制御することを特徴とする携帯機器。
【請求項２】
少なくとも前記第２の無線通信部の通信モードとして、常時連続的に通信を実行する常時通信モードと、間欠的に通信を実行する間欠通信モードとを切り換える通信モード切換部を備え、前記第２の無線通信部を介した前記外部機器との通信の実行中に、前記通信状態判定部によって判定された前記第２の無線通信部を介した前記外部機器との通信状態に応じて、前記常時通信モードと前記間欠通信モードとを切り換えることを特徴とする請求項１に記載の携帯機器。
【請求項３】
前記送信データ量を判定するデータ量判定部を備え、
前記通信制御部は、前記データ量判定部によってデータ量が大きいと判定された場合であって、前記通信状態判定部によって前記第１の無線通信部を介した通信状態が良好と判定された場合に、前記第１の無線通信部を介した前記外部機器との通信を制御することを特徴とする請求項１に記載の携帯機器。
【請求項４】
前記通信制御部は、前記データ量判定部によってデータ量が大きいと判定された場合であって、前記通信状態判定部によって前記第１の無線通信部を介した通信状態が良好でないと判定された場合、または前記データ量判定部によってデータ量が小さいと判定された場合に、前記第２の無線通信部を介した前記外部機器との通信を制御することを特徴とする請求項３に記載の携帯機器。
【請求項５】
少なくとも前記高速無線通信部のアンテナが装置筐体の角部に配置されていることを特徴とする請求項１〜４のいずれか１つに記載の携帯機器。
【請求項６】
通信距離が短く高速な通信が可能な第１の無線通信処理部および前記第１の無線通信処理部と比較して通信距離が長く低速な通信が可能な第２の無線通信処理部を有した無線通信部と、
前記第１の無線通信処理部または前記第２の無線通信処理部を介して外部機器との通信を実行し、少なくとも前記外部機器に対するデータの送信を制御する通信制御部と、
前記第１の無線通信処理部または前記第２の無線通信処理部を介した前記外部機器との通信の通信状態を判定する通信状態判定部と、
を備え、
前記通信制御部は、前記通信状態判定部によって判定された前記通信状態および／または前記外部機器に対して送信する送信データ量をもとに、前記第１の無線通信処理部を介した前記外部機器との通信と、前記第２の無線通信処理部を介した前記外部機器との通信とを切り換えて前記外部機器に対するデータの送信を制御することを特徴とする携帯機器。
【請求項７】
少なくとも前記第２の無線通信処理部を介した通信モードとして、常時連続的に通信を実行する常時通信モードと、間欠的に通信を実行する間欠通信モードとを切り換える通信モード切換部を備え、前記第２の無線通信処理部を介した前記外部機器との通信の実行中に、前記通信状態判定部によって判定された前記第２の無線通信処理部を介した前記外部機器との通信状態に応じて、前記常時通信モードと前記間欠通信モードとを切り換えることを特徴とする請求項６に記載の携帯機器。
【請求項８】
前記送信データ量を判定するデータ量判定部を備え、
前記通信制御部は、前記データ量判定部によってデータ量が大きいと判定された場合であって、前記通信状態判定部によって前記第１の無線通信処理部を介した通信状態が良好と判定された場合に、前記第１の無線通信処理部を介した前記外部機器との通信を制御することを特徴とする請求項６に記載の携帯機器。
【請求項９】
前記通信制御部は、前記データ量判定部によってデータ量が大きいと判定された場合であって、前記通信状態判定部によって前記第１の無線通信処理部を介した通信状態が良好でないと判定された場合、または前記データ量判定部によってデータ量が小さいと判定された場合に、前記第２の無線通信処理部を介した前記外部機器との通信を制御することを特徴とする請求項８に記載の携帯機器。
【請求項１０】
前記無線通信部のアンテナが装置筐体の角部に配置されていることを特徴とする請求項６〜９のいずれか１つに記載の携帯機器。
【発明の詳細な説明】
【技術分野】
【０００１】
本発明は、携帯機器に関するものである。
【背景技術】
【０００２】
従来から、デジタルカメラをパソコン等の外部機器と接続し、デジタルカメラで撮影した画像を外部機器に送信するといったことが一般的に行われている。また、特許文献１には、通信速度を向上させる目的で、デジタルカメラに複数の通信インターフェースを設け、これらを同時に動作させてデータを送信する技術が開示されている。
【０００３】
【特許文献１】特開２００５−２８６６５４号公報
【発明の開示】
【発明が解決しようとする課題】
【０００４】
しかしながら、上記のようにデジタルカメラで撮影した画像を外部機器に送信する場合には、その都度外部機器との間をケーブル接続する等の作業が必要であり、手間であった。一方で、デジタルカメラと外部機器との間で無線通信を行ってデータを送受信すれば、このような作業が必要ない。しかしながら、無線通信では、特許文献１のような有線接続の場合と異なり、通信状態によっては外部機器との間でデータを確実に送受信できない場合が生じ得る。
【０００５】
本発明は、上記に鑑みてなされたものであって、外部機器との間でデータの送受信を簡単且つ確実に行うことができる携帯機器を提供することを目的とする。
【課題を解決するための手段】
【０００６】
上述した課題を解決し、目的を達成するため、本発明にかかる携帯機器は、通信距離が短く高速な通信が可能な第１の無線通信部と、前記第１の無線通信部と比較して通信距離が長く低速な通信が可能な第２の無線通信部と、前記第１の無線通信部または前記第２の無線通信部を介して外部機器との通信を実行し、少なくとも前記外部機器に対するデータの送信を制御する通信制御部と、前記第１の無線通信部または前記第２の無線通信部を介した前記外部機器との通信の通信状態を判定する通信状態判定部と、を備え、前記通信制御部は、前記通信状態判定部によって判定された前記通信状態および／または前記外部機器に対して送信する送信データ量をもとに、前記第１の無線通信部を介した前記外部機器との通信と、前記第２の無線通信部を介した前記外部機器との通信とを切り換えて前記外部機器に対するデータの送信を制御することを特徴とする。
【０００７】
また、本発明にかかる携帯機器は、上記の発明において、少なくとも前記第２の無線通信部の通信モードとして、常時連続的に通信を実行する常時通信モードと、間欠的に通信を実行する間欠通信モードとを切り換える通信モード切換部を備え、前記第２の無線通信部を介した前記外部機器との通信の実行中に、前記通信状態判定部によって判定された前記第２の無線通信部を介した前記外部機器との通信状態に応じて、前記常時通信モードと前記間欠通信モードとを切り換えることを特徴とする。
【０００８】
また、本発明にかかる携帯機器は、上記の発明において、前記送信データ量を判定するデータ量判定部を備え、前記通信制御部は、前記データ量判定部によってデータ量が大きいと判定された場合であって、前記通信状態判定部によって前記第１の無線通信部を介した通信状態が良好と判定された場合に、前記第１の無線通信部を介した前記外部機器との通信を制御することを特徴とする。
【０００９】
また、本発明にかかる携帯機器は、上記の発明において、前記通信制御部は、前記データ量判定部によってデータ量が大きいと判定された場合であって、前記通信状態判定部によって前記第１の無線通信部を介した通信状態が良好でないと判定された場合、または前記データ量判定部によってデータ量が小さいと判定された場合に、前記第２の無線通信部を介した前記外部機器との通信を制御することを特徴とする。
【００１０】
また、本発明にかかる携帯機器は、上記の発明において、少なくとも前記高速無線通信部のアンテナが装置筐体の角部に配置されていることを特徴とする。
【００１１】
また、本発明にかかる携帯機器は、通信距離が短く高速な通信が可能な第１の無線通信処理部および前記第１の無線通信処理部と比較して通信距離が長く低速な通信が可能な第２の無線通信処理部を有した無線通信部と、前記第１の無線通信処理部または前記第２の無線通信処理部を介して外部機器との通信を実行し、少なくとも前記外部機器に対するデータの送信を制御する通信制御部と、前記第１の無線通信処理部または前記第２の無線通信処理部を介した前記外部機器との通信の通信状態を判定する通信状態判定部と、を備え、前記通信制御部は、前記通信状態判定部によって判定された前記通信状態および／または前記外部機器に対して送信する送信データ量をもとに、前記第１の無線通信処理部を介した前記外部機器との通信と、前記第２の無線通信処理部を介した前記外部機器との通信とを切り換えて前記外部機器に対するデータの送信を制御することを特徴とする。
【００１２】
また、本発明にかかる携帯機器は、上記の発明において、少なくとも前記第２の無線通信処理部を介した通信モードとして、常時連続的に通信を実行する常時通信モードと、間欠的に通信を実行する間欠通信モードとを切り換える通信モード切換部を備え、前記第２の無線通信処理部を介した前記外部機器との通信の実行中に、前記通信状態判定部によって判定された前記第２の無線通信処理部を介した前記外部機器との通信状態に応じて、前記常時通信モードと前記間欠通信モードとを切り換えることを特徴とする。
【００１３】
また、本発明にかかる携帯機器は、上記の発明において、前記送信データ量を判定するデータ量判定部を備え、前記通信制御部は、前記データ量判定部によってデータ量が大きいと判定された場合であって、前記通信状態判定部によって前記第１の無線通信処理部を介した通信状態が良好と判定された場合に、前記第１の無線通信処理部を介した前記外部機器との通信を制御することを特徴とする。
【００１４】
また、本発明にかかる携帯機器は、上記の発明において、前記通信制御部は、前記データ量判定部によってデータ量が大きいと判定された場合であって、前記通信状態判定部によって前記第１の無線通信処理部を介した通信状態が良好でないと判定された場合、または前記データ量判定部によってデータ量が小さいと判定された場合に、前記第２の無線通信処理部を介した前記外部機器との通信を制御することを特徴とする。
【００１５】
また、本発明にかかる携帯機器は、上記の発明において、前記無線通信部のアンテナが装置筐体の角部に配置されていることを特徴とする。
【発明の効果】
【００１６】
本発明によれば、第１の無線通信部および／または第２の無線通信部を介した外部機器との通信の通信状態や外部機器に対して送信する送信データ量をもとに、第１の無線通信部を介した外部機器との通信と第２の無線通信部を介した外部機器との通信とを切り換えることができる。したがって、通信距離および通信速度が異なる第１の無線通信部と第２の無線通信部とを適切に切り換えて外部機器に対するデータの送信が行えるので、外部機器との間でデータの送受信を簡単且つ確実に行うことができるという効果を奏する。また、第１の無線通信処理部および／または第２の無線通信処理部を介した外部機器との通信の通信状態や外部機器に対して送信する送信データ量をもとに、第１の無線通信処理部を介した外部機器との通信と第２の無線通信処理部を介した外部機器との通信とを切り換えることができる。したがって、第１の無線通信処理部と第２の無線通信処理部とを適切に切り換えて外部機器に対するデータの送信が行えるので、外部機器との間でデータの送受信を簡単且つ確実に行うことができるという効果を奏する。
【発明を実施するための最良の形態】
【００１７】
以下、図面を参照し、本発明の好適な実施の形態について詳細に説明する。なお、この実施の形態によって本発明が限定されるものではない。また、各図面の記載において、同一部分には同一の符号を付して示している。
【００１８】
（実施の形態）
図１は、本発明の携帯機器を適用したデジタルカメラ１の前面側を示す概略斜視図であり、図２は、デジタルカメラ１の背面側を示す概略斜視図である。図１に示すように、デジタルカメラ１は、カメラ本体３の前面に撮像レンズ４が配設され、この撮像レンズ４を通して入射する被写体像を撮像する撮像部１１（図９を参照）をカメラ本体３の内部に備えている。一方、カメラ本体３の上面には、撮影タイミングを指示するためのレリーズスイッチ５が配設されている。そして、カメラ本体３の背面には、各種画面を表示する表示部１４、電源投入やモードの選択といった各種操作を入力するための固有の機能が割り当てられた複数のボタンスイッチ７等が配設されている。
【００１９】
そして、デジタルカメラ１の電源を投入（ＯＮ）し、撮影モードを選択すると、デジタルカメラ１は撮影可能な状態となる。撮影モードでは、撮像レンズ４を通して入射する被写体像がライブビュー画像としてリアルタイムに表示部１４に表示されるようになっており、ユーザは、ライブビュー画像を見ながらレリーズスイッチ５を押下して静止画や動画の撮影を行う。あるいは、デジタルカメラ１の動作モードを再生モードに切り換え、撮影した静止画や動画を表示部１４に表示（再生）して楽しむ。
【００２０】
また、デジタルカメラ１は、図１に示すように、カメラ本体３内部の所定位置において、他のデジタルカメラ１やパソコン、携帯電話機、テレビ等の外部機器（以下、通信相手の外部機器を「相手機器」と呼ぶ。）との間で無線通信を行うための無線通信部１７として、第１の無線通信部としての高速無線通信部１８と、第２の無線通信部としての低速無線通信部１９とを内蔵している。高速無線通信部１８は、低速無線通信部１９と比べて通信距離が短く、高速で大容量の通信が可能である。詳細は後述するが、例えば通信距離が３ｃｍ程度と短いものを採用する。一方で、低速無線通信部１９としては、１０ｃｍ以上の比較的長いものを採用する。これらの高速無線通信部１８および低速無線通信部１９は、それぞれカメラ本体３内部の適所において、そのアンテナを外装面側に向けるようにして配置される。なお、相手機器は、デジタルカメラ１との間で通信を行うため、無線通信部１７を構成する高速無線通信部１８および低速無線通信部１９と同様の構成を備えたことが前提となっている。
【００２１】
ここで、高速無線通信部１８による通信では、その通信距離が短いため、相手機器との位置がずれると高速無線通信部同士が通信圏内から外れてしまう可能性がある。したがって、高速無線通信部１８による通信を行って相手機器との間でデータを送受信する場合、デジタルカメラと相手機器とを近づけてそのアンテナ同士を近接させ、且つデータの送受信を終えるまでの間近接させた状態を保つ必要がある。このため、デジタルカメラ等の携帯機器間で通信する場合等、ユーザが手にもってこれらを近接させる場合、位置ズレによって通信が安定せず、データの送受信に失敗する場合が生じ易い。この問題を解決するために、少なくとも高速無線通信部１８は、装置筐体の角部に配置するのが望ましい。図１の例では、高速無線通信部１８をカメラ本体３の底面側の一方の角部に配置している。このように高速無線通信部１８を装置筐体の角部に配置することによって、ユーザは、高速無線通信部１８を介した通信を行う際の相手機器との間の位置決めがし易く、位置ズレによる通信の失敗を抑制できる。
【００２２】
図３は、デジタルカメラ１が、他のデジタルカメラ１−２を相手機器として通信を行う様子を示した図である。図３に示すように、カメラ本体３同士が近づけられて各々の無線通信部１７（詳細には、各々の高速無線通信部１８同士または各々の低速無線通信部１９同士）が互いの通信可能圏内に近接されると、これらの間の通信が確立するようになっている。
【００２３】
一方図４は、デジタルカメラ１が、パソコン（ノートパソコン）９０を相手機器として通信を行う様子を示した図である。ここで、パソコン９０は、無線通信部９０１を内蔵している。この無線通信部９０１は、デジタルカメラ１の高速無線通信部１８との間で通信が可能な高速無線通信部と、低速無線通信部１９との間で通信が可能な低速無線通信部とを備えており、それぞれそのアンテナがキーボード面側に配置されるように配置される。そして、デジタルカメラ１とパソコン９０とが近づけられて対応する無線通信部が互いに通信可能圏内に近接されると、それぞれの間で通信が確立するようになっている。
【００２４】
ここで、本実施の形態のデジタルカメラ１が相手機器との間で行う通信の原理について説明する。図５は、本実施の形態のデジタルカメラ１が相手機器との間で行う通信の原理を説明する図である。また、図６〜図８は、デジタルカメラ１が相手機器との間で送受信するデータの内容について説明する図である。
【００２５】
本実施の形態では、先ず１つ目として、撮影モード中、撮影の直後に撮影画像を相手機器に送信する場合を想定している。相手機器としては、例えば他のデジタルカメラや携帯電話機等の携帯機器を想定している（図５：パターンＡ）。具体的には例えば、図６に示すように、ユーザＰ１１が、デジタルカメラ１を撮影モードにして例えば友人である人物Ｐ１２の撮影を行った後（図６（ａ））、直後にデジタルカメラ１を人物Ｐ１２の所有するデジタルカメラ１−２等の相手機器と通信させ、図６（ａ）で人物Ｐ１２を撮影した撮影画像をデジタルカメラ１−２に送信する（図６（ｂ））場合等が挙げられる。
【００２６】
２つ目として、再生モード中、デジタルカメラ１に記録されている複数の記録画像を一括で相手機器に送信する場合を想定している（図５：パターンＢ）。相手機器としては、容量の大きいハードディスクを備えたパソコン等を想定している。具体的には例えば、図７に示すように、ユーザＰ２１が、デジタルカメラ１を再生モードにして記録画像を閲覧しながら記録画像の全部または一部を選択し（図７（ａ））、例えば自身が所有するパソコン（ノートパソコン）９０等の相手機器にバックアップ用に送信する（図７（ｂ））場合等が挙げられる。
【００２７】
さらに３つ目として、再生モード中、デジタルカメラ１に記録されている１枚の記録画像を相手機器に送信する場合を想定している（図５：パターンＣ）。具体的には例えば、ユーザがインターネット上で公開しているブログにデジタルカメラ１で撮影した撮影画像を貼付する場合等が挙げられる。すなわち、図８に示すように、ユーザＰ３１が、デジタルカメラ１を再生モードにして記録画像を閲覧しながら１枚の記録画像を選択し（図８（ａ））、パソコン９０等の相手機器に送信する（図８（ｂ））場合等が挙げられる。また、このようなケースでは、パソコン９０上でブログを編集しながら繰り返し撮影画像を送信することが予想される。すなわち、図８（ｃ）に示すように、ユーザＰ３１は、例えばデジタルカメラ１を卓上に載置してパソコン９０で作業を行い、必要に応じて図８（ａ）に示したように再度デジタルカメラ１を操作し、別の記録画像を選択する。そして、図８（ｂ）に示したように、新たに選択した記録画像をパソコン９０に送信するといった場合である。
【００２８】
ところで、図７に示した場合のように、再生モード中に相手機器との間で通信を行い、複数の画像データを一括で送信する場合には、高速性が要求される。複数の画像データを一括で送信する場合には、送信時間が短いほどユーザに与えるストレスが少ないためである。これに対し、図６に示した場合や図８に示した場合のように、撮影モード中または再生モード中に相手機器と通信し、１枚の画像データを送信する場合には、高速性よりも確実性（安定性）が要求される。すなわち、１枚ずつ送信される画像データは、例えば友人にあげたりパソコン上での作業に用いるためのものであるため、送信指示が入力された時点で確実に送信したいからである。また、１枚分の画像データが送信できれば十分であり、大容量の通信である必要がない。
【００２９】
そこで、本実施の形態のデジタルカメラ１は、図５に示すように、複数の画像データを一括で送信するパターンＢの場合には、高速無線通信部１８による通信を行って相手機器との間でデータの送受信を行う（高速無線通信処理）。これによれば、通信が確立した相手機器に対して選択された複数の画像データを短時間で送信できる。一方、１枚ずつ画像データを送信するパターンＡやパターンＣの場合には、低速無線通信部１９による通信を行って相手機器との間でデータの送受信を行う（低速無線通信処理）。低速無線通信部１９による通信では、通信距離が比較的長いため、高速無線通信部１８による通信の場合と比べて通信可能な範囲が広く、相手機器との間が多少離れていても安定した通信が行える。したがって、送信指示が入力された時点で送信対象の画像データを確実に送信できる。
【００３０】
なお、本実施の形態では、上記したパターンＡ〜Ｃに加えて、図５に示すように、複数の記録画像を一括で相手機器に送信するパターンＢの場合であって、通信状態が悪化した場合をパターンＤとして想定しており、高速無線通信部１８による通信の通信状態が良好でなければ、高速無線通信部１８による通信から低速無線通信部１９による通信に切り換えてデータを送信する（高速無線通信処理／低速無線通信処理の切換）。
【００３１】
さらに、本実施の形態のデジタルカメラ１は、低速無線通信部１９による通信の実行中において、その通信モードを切り換える。
【００３２】
例えば、図８に示して説明したように、再生モード中に記録画像を１枚ずつ繰り返して送信する場合では、続けて別の記録画像の送信が指示される可能性がある。しかしながら実際には、次の送信指示が直ぐに入力される場合もあれば、長時間入力されない場合もあり得る。このため、１枚目の画像データを送信した後、低速無線通信部１９が電波を発信し続ける構成では、消費電力が増大してしまう。例えば、図８（ｃ）に示したようにデジタルカメラ１が相手機器であるパソコン９０から離されて載置された状態において、デジタルカメラ１の低速無線通信部１９が電波を連続的に発信し続けて常時通信を実行するのは、消費電力が無駄である。
【００３３】
このため、例えば、低速無線通信部１９による通信では、最初に通信を開始したときの通信モードを常時通信モードとする。そして、低速無線通信部１９による通信の実行中、その通信状態が急に変化して通信が確立されなくなった時点で間欠通信モードに切り換える。あるいは、相手機器との間で前回データを送受信してから所定時間が経過した時点で、間欠通信モードに切り換える。
【００３４】
ここで、常時通信モードでは、常に電波を発信して通信を実行するため、相手機器との通信をレスポンス良く行える一方で、通信時の消費電力が大きい。これに対して間欠通信モードでは、電波を所定の時間間隔で発信して通信を実行するため、常時通信モードと比べてレスポンスは劣るが消費電力を抑えることができる。したがって、上述したように通信モードを適宜切り換えることによって、通信時のレスポンスと電力消費とのバランスを図りつつ相手機器との通信が行える。なお、データの送信後に低速無線通信部１９による電波の発信を停止させるようにすれば電力の無駄な消費をより一層低減できるが、この場合には、送信する記録画像を選ぶたびに送信指示を入力して通信を開始させる必要があるため、ユーザにとっては手間である。
【００３５】
図９は、デジタルカメラ１の主要内部構成の一例を示すブロック図である。図９に示すように、デジタルカメラ１は、撮像部１１、画像処理部１２、操作部１３、表示部１４、記録部１５、時計部１６、無線通信部１７、制御部２０等を備える。
【００３６】
撮像部１１は、撮像レンズ４を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００３７】
画像処理部１２は、撮像部１１から出力された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。
【００３８】
操作部１３は、撮影タイミングの指示（撮影指示）、撮影モードや再生モードといったデジタルカメラ１の動作モードの切り換え、相手機器に対するデータの送信指示、撮影条件の設定等、ユーザによる各種操作を受け付けて操作信号を制御部２０に通知するためのものである。この操作部１３は、図１のレリーズスイッチ５やボタンスイッチ７を含む。
【００３９】
表示部１４は、撮影された静止画や動画、ライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１４には、撮影モード中は例えば１フレーム毎にライブビュー画像が再描画されて動画的に連続表示され、再生モード中は撮影された静止画や動画が表示される。
【００４０】
記録部１５は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。この記録部１５には、デジタルカメラ１を動作させ、このデジタルカメラ１が備える種々の機能を実現するための各種のカメラプログラムや、このカメラプログラムの実行中に使用されるデータ等が記録される。このカメラプログラムは、制御部２０を後述する通信制御部２１および送信残量判定部２３として機能させるためのプログラムを含む。また、記録部１５には、自機で撮影された撮影画像の画像データが記録画像として記録される他、例えば他のデジタルカメラを相手機器として通信することによって受信した画像データ等が記録される。
【００４１】
時計部１６は、日付および時刻を計時するためのものである。この時計部１６が計時する現在時刻によって撮影画像の撮影日および撮影時刻が特定されるようになっており、撮影画像の画像データは、前述のように記録画像として記録部１５に記録される際、撮影日および撮影時刻とともに記録される。
【００４２】
無線通信部１７は、相手機器との間で無線通信を行うためのものである。本実施の形態では、無線通信部１７は、通信距離は短いが大容量で高速な通信が可能な高速無線通信部１８と、高速無線通信部１８と比べて伝送速度が遅い一方で比較的通信距離が長い低速無線通信部１９とを備えている。高速無線通信部１８および低速無線通信部１９は、それぞれアンテナ１８１，１９１によって相手機器の高速無線通信部または低速無線通信部との間で電波信号を送受信し、受信信号を復調処理するとともに、送信信号を変調処理する送受信回路等で構成される。この高速無線通信部１８および低速無線通信部１９は、それぞれその存在を報知する電波（通信信号）を発信して通信を実行するとともに、相手機器の対応する無線通信部から発信された電波を受信して停止状態または待機状態から復帰し、相手機器との間で通信を確立するようになっている。
【００４３】
ここで、高速無線通信部１８は、例えば、３ｃｍ程度の通信距離で、３７５Ｍｂｐｓ以上の伝送速度を実現可能な非接触の近接無線通信を想定している。この高速無線通信部１８によって実現される近接無線通信によれば、デジタルカメラ１に記録されているデータ（画像データ）の全部または一部を瞬時に相手機器に送信することができる。一方、低速無線通信部１９は、例えば、１０ｃｍ以上の通信距離で、数Ｍｂｐｓの伝送速度を実現可能な無線通信を想定している。なお、高速無線通信部１８および低速無線通信部１９は、所望の通信距離や伝送速度を実現可能な通信規格の通信装置を適宜採用して用いることができる。
【００４４】
制御部２０は、ＣＰＵ等で実現され、操作部１３からの操作信号等に応じて記録部１５からカメラプログラムを読み出して実行し、デジタルカメラ１を構成する各部に対する指示やデータの転送等を行ってデジタルカメラ１の動作を統括的に制御する。この制御部２０は、通信制御部２１と、データ量判定部としての送信残量判定部２３とを含む。
【００４５】
通信制御部２１は、通信切換制御部２１１と、通信状態判定部２１５とを含み、高速無線通信部１８または低速無線通信部１９を介した相手機器との通信を実現してデータの送受信を制御する。通信切換制御部２１１は、相手機器に対して送信するデータの内容やデータの送信残量（送信データ量）、あるいは現在の通信状態等に応じて、高速無線通信部１８を介した相手機器との通信と低速無線通信部１９を介した相手機器との通信とを切り換えて制御する。この通信切換制御部２１１は、低速無線通信部１９による通信の実行中に、その通信モードを切り換える通信モード切換部２１３を含む。具体的には、通信モード切換部２１３は、低速無線通信部１９が常時電波を発信して通信を連続的に実行する常時通信モードと、低速無線通信部１９が所定の時間間隔で（例えば１秒毎に）電波を発信して通信を間欠的に実行する間欠通信モードとを切り換える。通信状態判定部２１５は、高速無線通信部１８による通信の通信状態および低速無線通信部１９による通信の通信状態を監視・判定する。また、送信残量判定部２３は、相手機器に対して送信するデータの送信残量を判定する。
【００４６】
次に、デジタルカメラ１が行う処理手順について説明する。図１０は、デジタルカメラ１が行う基本処理の手順を示すフローチャートである。電源投入時、デジタルカメラ１は、ユーザ操作によって選択されるモードに応じた処理を行う。すなわち、図１０に示すように、現在選択されているモードが撮影モードの場合には（ステップａ１：Ｙｅｓ）、撮影モード処理に移る（ステップａ３）。撮影モード処理を終えると、ステップａ９に移行する。現在のモードが撮影モードではなく（ステップａ１：Ｎｏ）、再生モードの場合には（ステップａ５：Ｙｅｓ）、再生モード処理に移る（ステップａ７）。再生モード処理を終えると、ステップａ９に移行する。そして、ステップａ９では、基本処理を終了するか否かを判定する。例えば、ボタンスイッチ７の操作によって電源ＯＦＦが指示された場合に、本処理を終える（ステップａ９：Ｙｅｓ）。一方、終了しない場合には（ステップａ９：Ｎｏ）、ステップａ１に戻る。
【００４７】
ここで、ステップａ３の撮影モード処理およびステップａ７の再生モード処理について順次説明する。先ず、撮影モード処理について説明する。図１１は、撮影モード処理の詳細な処理手順を示すフローチャートである。
【００４８】
図１１に示すように、撮影モード処理では、制御部２０は先ず、撮像部１１を起動して画像を取り込み、取り込んだ画像をライブビュー画像として表示部１４に表示する処理を行う（ステップｂ１）。ここでの処理によって、撮像素子に結像されている被写体像であるライブビュー画像を１フレーム毎に更新表示させる。
【００４９】
そして、レリーズスイッチ５が押下されて撮影が指示されたならば（ステップｂ３：Ｙｅｓ）、撮影処理を行って撮影画像の画像データを生成し（ステップｂ５）、生成した撮影画像を記録画像としてその画像データを記録部１５に記録する（ステップｂ７）。
【００５０】
続くステップｂ９では、ユーザによる送信指示を判定しており、送信指示が入力された場合に、例えば通信が確立した相手機器に対し、ステップｂ５の撮影処理で生成された最新の撮影画像の画像データを送信するようになっている。
【００５１】
すなわち、送信指示が入力されたならば（ステップｂ９：Ｙｅｓ）、通信切換制御部２１１が低速無線通信処理を開始し（ステップｂ１１）、通信モード切換部２１３が常時通信モードを設定する（ステップｂ１２）。ここでの処理によって、低速無線通信部１９が電波の発信を開始するが、このとき、連続的に電波を発信して常時通信を実行する。この電波を相手機器の低速無線通信部が受信すると、相手機器との間の通信が確立する。
【００５２】
そして、例えば、予め設定される所定時間が経過するまでの間に相手機器との間で通信が確立しなければ（ステップｂ１３：Ｎｏ）、ステップｂ３１に移行する。相手機器との間で通信が確立した場合には（ステップｂ１３：Ｙｅｓ）、続いて、通信切換制御部２１１は、低速無線通信部１９を介して相手機器に常時通信指定信号を通知する処理を行う（ステップｂ１５）。なお、この常時通信指定信号を受信した相手機器では、自機の低速無線通信部の通信モードとして常時通信モードを設定するようになっており、以降の通信をレスポンス良く行える。また、このようにして相手機器を常時通信モードにするのは、デジタルカメラ１が続けて撮影を行い、得られた撮影画像を同じ相手機器に連続して送信する場合を想定している。すなわち、ここで相手機器の低速無線通信部を常時通信モードにしておくことで、この相手機器との間で後でデータを送受信する際の通信をレスポンス良く行うことができる。
【００５３】
そして、通信切換制御部２１１は、低速無線通信部１９を介して相手機器にデータ（ここでは、ステップｂ５で撮影された撮影画像の画像データ）を送信し（ステップｂ１７）、その後ステップｂ３１に移行する。
【００５４】
また、ステップｂ３で撮影指示が入力されない場合には（ステップｂ３：Ｎｏ）、続いて通信切換制御部２１１は、相手機器からのデータを受信可能か否かを判定する。例えば、通信切換制御部２１１は、相手機器との間の通信が確立した場合に受信可能と判定する。
【００５５】
そして、受信可能と判定した場合であって（ステップｂ１９：Ｙｅｓ）、相手機器から常時通信指定信号を受信した場合には（ステップｂ２１：Ｙｅｓ）、通信モード切換部２１３が、低速無線通信部１９の通信モードとして常時通信モードを設定する（ステップｂ２３）。このとき、低速無線通信部１９による通信が実行中でなければ、通信切換制御部２１１が低速無線通信処理を開始する。ここでの処理によって、低速無線通信部１９は、連続的に電波を発信して常時通信を実行することとなる。そして、通信切換制御部２１１は、相手機器から送信されたデータを受信し（ステップｂ２４）、その後ステップｂ３１に移行する。
【００５６】
一方、常時通信指定信号を受信しなければ（ステップｂ２１：Ｎｏ）、通信モード切換部２１３は、間欠通信モードを設定する（ステップｂ２５）。このとき、低速無線通信部１９による通信が実行中でなければ、通信切換制御部２１１が低速無線通信処理を開始する。ここでの処理によって、低速無線通信部１９は、所定の時間間隔で電波を発信して間欠的に通信を実行することとなる。そして、通信切換制御部２１１は、相手機器から送信されたデータを受信する（ステップｂ２６）。
【００５７】
また、ステップｂ１９で相手機器からのデータを受信可能でない場合には（ステップｂ１９：Ｎｏ）、通信切換制御部２１１は、低速無線通信部１９による通信が実行中か否かを判定する。通信の実行中であれば（ステップｂ２７：Ｙｅｓ）、通信モード切換部２１３が、データの送受信を前回行ってから所定時間が経過したか否かを判定する。所定時間が経過していなければ（ステップｂ２９：Ｎｏ）、ステップｂ３１に移行する。そして、所定時間が経過した時点で（ステップｂ２９：Ｙｅｓ）、通信モード切換部２１３が、低速無線通信部１９の通信モードを間欠通信モードに切り換える（ステップｂ３０）。なお、このときの低速無線通信部１９の通信モードが間欠通信モードであれば、特に処理を行わない。
【００５８】
また、ステップｂ３１では、制御部２０が撮影モードの終了判定を行い、終了する場合には（ステップｂ３１：Ｙｅｓ）、ステップｂ３３に移行する。撮影モードを終了しない場合には（ステップｂ３１：Ｎｏ）、ステップｂ１に戻る。
【００５９】
そして、ステップｂ３３では、通信切換制御部２１１が、低速無線通信処理を終了して低速無線通信部１９からの電波の発信を停止させ、実行中の低速無線通信部１９による通信を終了する。なお、このときに低速無線通信部１９による通信が実行中でなければ、特に処理を行わない。その後、図１０のステップａ３にリターンする。
【００６０】
このように、本実施の形態では、撮影モード中に低速無線通信部１９による通信を開始した場合には、撮影モードを終了するまで通信状態を維持する。そして、いずれかの相手機器との間でデータの送受信を前回行ってからの時間を計時し、所定時間が経過した時点で、低速無線通信部１９の通信モードを間欠通信モードに切り換える。なお、この所定時間が経過した時点で低速無線通信処理を終了し、低速無線通信部１９からの電波の発信を停止させる構成としてもよい。またこのとき、データの送受信が所定時間行われていない旨のメッセージを表示部１４に警告表示する処理を行うようにしてもよい。あるいは、警告音を図示しないスピーカから出力する構成としてもよい。
【００６１】
次に、再生モード処理について説明する。図１２は、再生モード処理の詳細な処理手順を示すフローチャートである。図１２に示すように、再生モード処理では、制御部２０は、記録部１５に記録されている記録画像を順次読み出して再生（表示）する処理を行う（ステップｃ１）。なお、記録画像の再生は、例えば、記録部１５に記録されている記録画像の画像データを撮影順に１枚ずつ順番に読み込んで表示する構成としてもよいし、複数の記録画像のサムネイルデータを読み出して一覧表示する制御を行い、ユーザ操作に従って一覧の中から選択した記録画像の画像データを表示する構成としてもよい。なお、ここで再生する記録画像は、自機で撮影されて記録部１５に記録されたものの他、図１１のステップｂ２４やステップｂ２５で相手機器から受信した画像データを含む。
【００６２】
また、再生中の記録画像の切換指示が入力された場合には（ステップｃ３：Ｙｅｓ）、制御部２０は、再生する記録画像を選択して（ステップｃ５）、ステップｃ１に戻る。
【００６３】
続くステップｃ７では、ユーザによる送信指示を判定しており、送信指示が入力された場合には、例えば通信が確立した相手機器に対し、ステップｃ１で再生された記録画像の中から選択された記録画像の画像データを送信するようになっている。
【００６４】
すなわち、送信指示が入力されると（ステップｃ７：Ｙｅｓ）、先ず、通信切換制御部２１１が、入力された送信指示を判定する。具体的には、通信切換制御部２１１は、記録部１５に記録されている複数の記録画像を一括で送信する送信指示なのか、記録部１５に記録されている記録画像を１枚ずつ送信する送信指示なのかを判定し、一括送信の指示であれば（ステップｃ９：Ｙｅｓ）、一括送信処理に移る（ステップｃ１５）。図１３は、一括送信処理の詳細な処理手順を示すフローチャートである。
【００６５】
図１３に示すように、一括送信処理では先ず、通信切換制御部２１１が、高速無線通信部１８による通信に切り換える制御を行って、高速無線通信処理を開始する（ステップｄ１）。ここでの処理によって、高速無線通信部１８が電波の発信を開始する。そして、この電波を相手機器の高速無線通信部が受信すると、相手機器との間の通信が確立する。
【００６６】
そして、例えば、予め設定される所定時間が経過するまでの間に相手機器との間で通信が確立しなければ（ステップｄ２：Ｎｏ）、ステップｄ１１に移行し、通信切換制御部２１１は、高速無線通信処理を終了して高速無線通信部１８からの電波の発信を停止させ、実行中の高速無線通信部１８による通信を終了する。そして、図１２のステップｃ１５にリターンし、その後ステップｃ３９に移行する。
【００６７】
相手機器との間で通信が確立した場合には（ステップｄ２：Ｙｅｓ）、続いて通信状態判定部２１５が、高速無線通信部１８による通信の通信状態を判定する。例えば、通信状態判定部２１５は、所定の信号を相手機器に通知する処理を行い、これに応答して相手機器から通知される応答信号の内容や応答時間等をもとに通信状態が良好か否かを判定する。判定した通信状態が良好であれば（ステップｄ３：Ｙｅｓ）、通信切換制御部２１１が、高速無線通信部１８を介して相手機器にデータ（ここでは、一括送信が指示された複数の記録画像の画像データ）を送信する処理を行う（ステップｄ４）。そして、送信を終了したならば（ステップｄ５：Ｙｅｓ）、ステップｄ１１に移行し、通信切換制御部２１１は、高速無線通信処理を終了して高速無線通信部１８からの電波の発信を停止させ、実行中の高速無線通信部１８による通信を終了する。そして、図１２のステップｃ１５にリターンし、その後ステップｃ３９に移行する。
【００６８】
一方、送信を終了しない間は（ステップｄ５：Ｎｏ）、通信状態判定部２１５が、高速無線通信部１８による通信の通信状態を監視する。そして、通信状態が良好でありエラーの発生がなければ（ステップｄ７：Ｎｏ）、ステップｄ４に戻って未送信のデータを順次送信していく。ここで、エラーが発生する場合としては例えば、外乱によるものの他、デジタルカメラ１の高速無線通信部１８と相手機器の高速無線通信部との間でアンテナを近接させた状態が途中で位置ズレしたこと等によって通信状態が安定しない場合等が挙げられる。そして、通信状態判定部２１５は、通信状態が安定せずにエラーが発生した場合には（ステップｄ７：Ｙｅｓ）、通信状態が急変したか否かを判定する。なお、ここでいう通信状態が急変したとは、通信状態が急に悪化した場合のことであり、例えば、データの送信中にデジタルカメラ１から相手機器が急に離される等して通信が確立されなくなった場合が該当する。このような場合には、ユーザがデータの送信を取り消したものとして扱う。すなわち、通信状態が急に悪化してエラーが発生した場合には（ステップｄ９：Ｙｅｓ）、ステップｄ１１に移行し、通信切換制御部２１１は、高速無線通信処理を終了して高速無線通信部１８からの電波の発信を停止させ、実行中の高速無線通信部１８による通信を終了する。そして、図１２のステップｃ１５にリターンし、その後ステップｃ３９に移行する。
【００６９】
また、ステップｄ３で通信状態が良好でないと判定した場合や（ステップｄ３：Ｎｏ）、ステップｄ７でエラーは発生したと判定したが（ステップｄ７：Ｙｅｓ）、ステップｄ９で通信状態は急変していないと判定した場合には（ステップｄ９：Ｎｏ）、ステップｄ１３に移行する。
【００７０】
すなわち、通信切換制御部２１１が、低速無線通信部１９による通信に切り換える制御を行って低速無線通信処理を開始し（ステップｄ１３）、通信モード切換部２１３が常時通信モードを設定する（ステップｄ１４）。そして、例えば、予め設定される所定時間が経過するまでの間に相手機器との間で通信が確立しなければ（ステップｄ１５：Ｎｏ）、低速無線通信処理を終了して低速無線通信部１９からの電波の発信を停止させ、実行中の低速無線通信部１９による通信を終了する（ステップｄ１７）。そして、図１２のステップｃ１５にリターンし、その後ステップｃ３９に移行する。
【００７１】
一方、相手機器との間で通信が確立した場合には（ステップｄ１５：Ｙｅｓ）、続いて、通信切換制御部２１１は、低速無線通信部１９を介して相手機器に常時通信指定信号を通知する処理を行う（ステップｄ１９）。そして、通信切換制御部２１１は、低速無線通信部１９を介して相手機器にデータ（ここでは、一括送信が指示された複数の記録画像の画像データであって、未送信のデータ）を送信する処理を行う（ステップｄ２１）。そして、送信を終了したならば（ステップｄ２３：Ｙｅｓ）、ステップｄ１７に移行し、通信切換制御部２１１は、低速無線通信処理を終了して低速無線通信部１９からの電波の発信を停止させ、実行中の低速無線通信部１９による通信を終了する。そして、図１２のステップｃ１５にリターンし、その後ステップｃ３９に移行する。
【００７２】
また、送信を終了しない間は（ステップｄ２３：Ｎｏ）、送信残量判定部２３が、データの送信残量を判定する。例えば、送信残量判定部２３は、相手機器に対して送信する未送信のデータ量を閾値処理することによって、送信残量の大小を判定する。送信残量が大きければ（ステップｄ２５：Ｙｅｓ）、ステップｄ１に戻る。ここでの処理によって、データの送信残量が大きい場合には高速無線通信部１８による通信に切り換えられる。そして、通信状態が良好であれば、未送信のデータは高速無線通信部１８を介して相手機器に送信されることとなる。また、送信残量が小ければ（ステップｄ２５：Ｎｏ）、ステップｄ２１に戻る。ここでの処理によって、データの送信残量が小さい場合には、未送信のデータはそのまま低速無線通信部１９を介して相手機器に送信されることとなる。
【００７３】
また、図１２に示すように、ステップｃ７で判定した送信指示が一括送信の指示ではなく、記録画像を１枚ずつ送信する送信指示の場合には（ステップｃ９：Ｎｏ）、通信切換制御部２１１が、低速無線通信部１９による通信に切り換える制御を行って低速無線通信処理を開始し（ステップｃ１７）、通信モード切換部２１３が常時通信モードを設定する（ステップｃ１８）。そして、例えば、予め設定される所定時間が経過するまでの間に相手機器との間で通信が確立しなければ（ステップｃ１９：Ｎｏ）、ステップｃ３９に移行する。相手機器との間で通信が確立した場合には（ステップｃ１９：Ｙｅｓ）、続いて、通信切換制御部２１１は、低速無線通信部１９を介して相手機器に常時通信指定信号を通知する処理を行う（ステップｃ２１）。そして、通信切換制御部２１１は、低速無線通信部１９を介して相手機器にデータ（ここでは、１枚ずつ送信が指示された記録画像の画像データ）を送信し（ステップｃ２３）、その後ステップｃ３９に移行する。
【００７４】
また、ステップｃ７で送信指示が入力されない場合には（ステップｃ７：Ｎｏ）、続いて通信切換制御部２１１は、低速無線通信部１９による通信が実行中か否かを判定する。通信の実行中であれば（ステップｃ２５：Ｙｅｓ）、通信モード切換部２１３が、データの送受信を前回行ってから所定時間が経過したか否かを判定する。そして、所定時間が経過した時点で（ステップｃ２７：Ｙｅｓ）、通信切換制御部２１１は、低速無線通信処理を終了して低速無線通信部１９からの電波の発信を停止させ、実行中の低速無線通信部１９による通信を終了する（ステップｃ２９）。そしてその後、ステップｃ３９に移行する。
【００７５】
一方、所定時間が経過していない場合には（ステップｃ２７：Ｎｏ）、通信状態判定部２１５が、低速無線通信部１９による通信の通信状態の変化をもとに、通信状態が急変した場合を監視する。ここでいう通信状態が急変したとは、図１３のステップｄ９と同様に、通信状態が急に悪化した場合のことである。通信状態が急に悪化してエラーが発生した場合には（ステップｄ３１：Ｙｅｓ）、通信モード切換部２１３は、低速無線通信部１９の通信モードを間欠通信モードに切り換える（ステップｃ３３）。このとき、低速無線通信部１９の通信モードが間欠通信モードであれば、特に処理を行わない。その後、ステップｃ３９に移行する。
【００７６】
そして、ステップｃ３９では、制御部２０が再生モードの終了判定を行い、終了する場合には（ステップｃ３９：Ｙｅｓ）、ステップｃ４１に移行する。再生モードを終了しない場合には（ステップｃ３９：Ｎｏ）、ステップｃ３に戻る。
【００７７】
そして、ステップｃ４１では、通信切換制御部２１１が、低速無線通信処理を終了して低速無線通信部１９からの電波の発信を停止させ、実行中の低速無線通信部１９による通信を終了する。なお、このときに低速無線通信部１９による通信が実行中でなければ、特に処理を行わない。その後、図１０のステップａ７にリターンする。
【００７８】
このように、本実施の形態では、再生モード中に一括送信が指示された場合には、先ず高速無線通信部１８による通信を行って画像データを相手機器に送信する。また、この高速無線通信部１８による通信の通信状態が良好でない場合には、低速無線通信部１９による通信に切り換えて画像データを相手機器に送信する。一方、再生モード中に記録画像を１枚ずつ送信する指示が入力され、低速無線通信部１９による通信を開始した場合には、いずれかの相手機器との間でデータの送受信を前回行ってからの時間を計時し、所定時間が経過しない間は通信状態を維持する。さらに、所定時間が経過しない間は、低速無線通信部１９による通信の通信状態を監視することによって通信状態が急変して悪化した場合を判定し、低速無線通信部１９の通信モードを間欠通信モードに切り換える。
【００７９】
以上説明したように、本実施の形態によれば、複数の画像データの一括送信が指示された場合には高速無線通信部１８による通信を行って相手機器にデータを送信し、１枚の画像データの送信が指示された場合には低速無線通信部１９による通信を行って相手機器にデータを送信することができる。そして、高速無線通信部１８による通信の通信状態を判定し、通信状態が良好でなければ、低速無線通信部１９による通信に切り換えてデータを送信することができる。したがって、高速無線通信部１８による通信と低速無線通信部１９による通信とを適切に切り換えて相手機器に対するデータの送信が行えるので、相手機器との間でデータの送受信を簡単且つ確実に行うことができるという効果を奏する。
【００８０】
また、低速無線通信部１９による通信の実行中において、低速無線通信部１９の通信モードを、通信状態の変化に応じて、または前回相手機器との間でデータを送受信してからの経過時間に応じて切り換えることができ、相手機器との通信による電力消費の低減を図ることができる。
【００８１】
以上、この発明の好適な実施の形態について説明したが、この発明は、上記したものに限定されず、発明の趣旨を逸脱しない範囲で適宜変更が可能である。
【００８２】
図１４は、変形例のデジタルカメラ１ｂが他のデジタルカメラ１ｂ−２を相手機器として通信を行う様子を示した図である。図１４に示すように、カメラ本体３ｂ底面側の一方の角部に傾斜面３１ｂを形成し、この傾斜面３１ｂ側にアンテナが配置されるように高速無線通信部１８を内蔵するようにしてもよい。これによれば、他のデジタルカメラ１ｂ−２を相手機器として通信する場合には、傾斜面３１ｂ同士を対向させることでこれらを簡単に位置決めして近接させることができる。したがって、通信時の操作性が向上し、位置ズレによる通信の失敗をより一層抑制できる。なお、図１４では、低速無線通信部１９については不図示としたが、カメラ本体３ｂ内の適所に設けられているものとする。
【００８３】
また、上記した実施の形態では、再生モード中に一括送信が指示された場合に高速無線通信部１８による通信に切り換え、１枚ずつ送信する指示の場合に低速無線通信部１９による通信に切り換えることとした。これに対し、送信指示に応じて実際に送信するデータ量の大小を判定することとしてもよい。そして、判定の結果データ量が大きければ高速無線通信部１８による通信に切り換え、データ量が小さければ低速無線通信部１９による通信に切り換えることとしてもよい。
【００８４】
また、上記した実施の形態では、データの送信中に通信が確立されなくなった場合を通信状態が急変したとして判定する場合について説明したが、受信電波の強度を判定してその変化をもとに通信状態が急変したか否かを判定することとしてもよい。
【００８５】
あるいは、通信が確立されなくなったときのカメラ本体３の変位速度を閾値処理し、所定の基準速度以上の速さでカメラ本体３が動かされた結果通信が確立されなくなった場合（デジタルカメラ１が相手機器から素早く離された場合）に通信状態が急変したと判定することとしてもよい。この場合には、デジタルカメラ１に変位速度を検出するための変位検出部を設け、この変位検出部によって通信時のカメラ本体３の変位を検出するようにする。変位検出部は、例えば、カメラ本体３に生じる加速度を検出する公知の加速度センサやカメラ本体３が回転したときの角速度を検出する公知の角速度センサ等で構成することができる。
【００８６】
また、上記した実施の形態では、低速無線通信部１９による通信モードとして、常時通信モードと間欠通信モードとを切り換えて設定する場合について説明したが、高速無線通信部１８による通信モードについても同様に、常時通信モードと間欠通信モードとを切り換えて設定する構成としてもよい。例えば、図１３のステップｄ１で高速無線通信部１８による通信を開始した際の通信モードを常時通信モードとする。そして、図１３のステップｄ４でデータの送信を終えた後、通信モードを間欠通信モードとするようにしてもよい。そして、例えば、相手機器との間で前回データを送受信してから所定時間が経過した時点で、高速無線通信部１８による通信を終了するようにしてもよい。
【００８７】
また、上記した実施の形態では、高速無線通信部１８および低速無線通信部１９を備えたデジタルカメラ１を例にとって説明したが、伝送速度や通信距離の異なる２つ以上の通信装置を適宜組み合わせて用いることとしてもよい。例えば、高速無線通信部１８や低速無線通信部１９として、電磁誘導方式による非接触の近接無線通信、赤外線通信、あるいはBluetooth（登録商標）や無線ＬＡＮ規格等の各種通信規格の通信装置を適宜採用して用いることができる。また、データの送信残量に応じて変調周波数を変更する等の制御を行ってもよい。
【００８８】
また、上記した実施の形態では、高速無線通信部１８および低速無線通信部１９として伝送速度や通信距離の異なる個別のハードウェアを組み合わせて無線通信部１７を構成する場合について説明したが、これに限定されるものではない。
【００８９】
図１５は、本変形例のデジタルカメラ１ｂの前面側を示す概略斜視図である。本変形例のデジタルカメラ１ｂは、図１５に示すように、カメラ本体３内部の底面側の一方の角部において、他のデジタルカメラ１やパソコン、携帯電話機、テレビ等の外部機器である相手機器との間で無線通信を行うための無線通信部３０ｂを内蔵している。
【００９０】
図１６は、このデジタルカメラ１ｂの主要内部構成を示すブロック図である。なお、図１６では、上記した実施の形態と同様の構成には同一の符号を付している。図１６に示すように、デジタルカメラ１ｂは、撮像部１１、画像処理部１２、操作部１３、表示部１４、記録部１５、時計部１６、無線通信部３０ｂ、制御部２０ｂ等を備える。
【００９１】
無線通信部３０ｂは、相手機器との間で無線通信を行うためのものであり、アンテナ３０１ｂによって相手機器の無線通信部との間で電波信号を送受信し、受信信号を復調処理するとともに、送信信号を変調処理する送受信回路等で構成される。この無線通信部３０ｂは、その存在を報知する電波を発信して通信を実行するとともに、相手機器の対応する無線通信部から発信された電波を受信して停止状態または待機状態から復帰し、相手機器との間で通信を確立するようになっている。
【００９２】
本変形例の無線通信部３０ｂは、高速無線通信処理を行う第１の無線通信処理部としての高速無線通信処理部３１ｂと、低速無線通信処理を行う第２の無線通信処理部としての低速無線通信処理部３３ｂとを備えている。図１７は、低速無線通信処理部３３ｂが行う低速無線通信処理の原理を説明する図であり、図１８は、高速無線通信処理部３１ｂが行う高速無線通信処理の原理を説明する図である。図１７に示すように、低速無線通信処理部３３ｂは、送信対象のデータ（送信データ）Ｄ４１にデータ処理を施し、誤り訂正用の冗長データ（誤り訂正符号）を付加して符号化データＤ４３を生成する。そして、低速無線通信処理部３３ｂは、生成した符号化データＤ４３を、アンテナ３０１ｂを介して相手機器に送信する処理を行う。一方、図１８に示すように、高速無線通信処理部３１ｂは、送信データＤ５１を符号化して符号化データＤ５３を生成し、アンテナ３０１ｂを介して相手機器に送信する処理を行う。
【００９３】
また、本変形例では、制御部２０ｂは、通信制御部２１ｂと、送信残量判定部２３とを含む。そして、通信制御部２１ｂは、通信切換制御部２１１ｂと、通信状態判定部２１５ｂとを含み、無線通信部３０ｂを介した相手機器との通信を実現してデータの送受信を制御する。
【００９４】
通信切換制御部２１１ｂは、相手機器に対して送信するデータの内容やデータの送信残量（送信データ量）、あるいは現在の通信状態等に応じて、高速無線通信処理部３１ｂを介した通信と低速無線通信処理部３３ｂを介した通信とを切り換えて制御する。具体的には、通信切換制御部２１１ｂは、上記した実施の形態と同様に、複数の画像データの一括送信が指示された場合に高速無線通信処理部３１ｂによる高速無線通信処理に切り換え、１枚の画像データの送信が指示された場合、あるいは高速無線通信処理の際の通信の通信状態が良好でない場合に低速無線通信処理部３３ｂによる低速無線通信処理に切り換える。
【００９５】
この通信切換制御部２１１ｂは、少なくとも低速無線通信処理部３３ｂを介した通信の実行中に、その通信モードを切り換える通信モード切換部２１３ｂを含む。具体的には、通信モード切換部２１３ｂは、低速無線通信処理の実行中に、上記した実施の形態と同様の要領で、アンテナ３０１ｂから常時電波を発信して通信を連続的に実行する常時通信モードと、所定の時間間隔で（例えば１秒毎に）電波を発信して通信を間欠的に実行する間欠通信モードとを切り換える。なお、高速無線通信処理部３１ｂを介した通信の通信モードについても同様に、常時通信モードと間欠通信モードとを切り換えて設定する構成としてもよい。
【００９６】
また、通信状態判定部２１５ｂは、高速無線通信処理部３１ｂを介した通信および低速無線通信処理部３３ｂを介した通信の通信状態を監視・判定する。
【００９７】
本変形例によれば、通信時に行う通信処理を、高速無線通信処理部３１ｂによる高速無線通信処理と低速無線通信処理部３３ｂによる低速無線通信処理とで切り換えて行うことができる。そして、通信切換制御部２１１ｂが低速無線通信処理部３３ｂによる低速無線通信処理に切り換えた場合には、送信データに冗長データを付加して相手機器に送信することができる。そして、受信側の相手機器では、誤り訂正を行って送信データを復元できるので、低速無線通信処理部３３ｂによる通信の際に送信されるデータの信頼性を向上させることができる。したがって、相手機器との間でデータの送受信を簡単且つ確実に行うことができ、上記した実施の形態と同様の効果を奏することができる。
【００９８】
また、上記した実施の形態では、本発明の携帯機器の一例としてデジタルカメラを例にとって説明したが、カメラ機能付きの携帯電話機やゲーム機、音楽プレーヤ、録音装置等、外部機器との間でデータの送受信が可能な他の携帯機器に適用できる。例えば、携帯機器の一例である携帯型の音楽プレーヤにおいて、外部機器との間で音楽データを送受信する場合にも適用可能である。また、携帯型の音楽プレーヤにおいて、外部機器との間で、音楽データと併せて例えばＣＤジャケットの画像データといったその音楽データに関連付けられたデータを送受信する場合にも、同様に適用可能である。あるいは、携帯機器の一例である録音装置において、外部機器との間で録音データを送受信する場合にも適用可能である。
【図面の簡単な説明】
【００９９】
【図１】デジタルカメラの前面側を示す概略斜視図である。
【図２】デジタルカメラの背面側を示す概略斜視図である。
【図３】デジタルカメラが相手機器と通信を行う様子を示した図である。
【図４】デジタルカメラが相手機器と通信を行う様子を示した他の図である。
【図５】デジタルカメラが相手機器との間で行う通信の原理を説明する図である。
【図６】デジタルカメラが相手機器との間で送受信するデータの内容について説明する図である。
【図７】デジタルカメラが相手機器との間で送受信するデータの内容について説明する他の図である。
【図８】デジタルカメラが相手機器との間で送受信するデータの内容について説明する他の図である。
【図９】デジタルカメラの主要内部構成の一例を示すブロック図である。
【図１０】デジタルカメラ１が行う基本処理の手順を示すフローチャートである。
【図１１】撮影モード処理の詳細な処理手順を示すフローチャートである。
【図１２】再生モード処理の詳細な処理手順を示すフローチャートである。
【図１３】一括送信処理の詳細な処理手順を示すフローチャートである。
【図１４】変形例のデジタルカメラが他のデジタルカメラを相手機器として通信を行う様子を示した図である。
【図１５】変形例のデジタルカメラの前面側を示す概略斜視図である。
【図１６】変形例のデジタルカメラの主要内部構成を示すブロック図である。
【図１７】低速無線通信処理部が行う低速無線通信処理の原理を説明する図である。
【図１８】高速無線通信処理部が行う高速無線通信処理の原理を説明する図である。
【符号の説明】
【０１００】
１，１ｂ      デジタルカメラ
３      カメラ本体
４      撮像レンズ
５      レリーズスイッチ
７      ボタンスイッチ
１１      撮像部
１２      画像処理部
１３      操作部
１４      表示部
１５      記録部
１６      時計部
１７      無線通信部
１８      高速無線通信部
１９      低速無線通信部
１８１，１９１      アンテナ
２０，２０ｂ      制御部
２１，２１ｂ      通信制御部
２１１，２１１ｂ      通信切換制御部
２１３，２１３ｂ      通信モード切換部
２１５，２１５ｂ      通信状態判定部
２３      送信残量判定部
３０ｂ      無線通信部
３１ｂ      高速無線通信処理部
３３ｂ      低速無線通信処理部
３０１ｂ      アンテナ
【図１】
2010136216.tif 000003
【図２】
2010136216.tif 000004
【図３】
2010136216.tif 000005
【図４】
2010136216.tif 000006
【図５】
2010136216.tif 000007
【図６】
2010136216.tif 000008
【図７】
2010136216.tif 000009
【図８】
2010136216.tif 000010
【図９】
2010136216.tif 000011
【図１０】
2010136216.tif 000012
【図１１】
2010136216.tif 000013
【図１２】
2010136216.tif 000014
【図１３】
2010136216.tif 000015
【図１４】
2010136216.tif 000016
【図１５】
2010136216.tif 000017
【図１６】
2010136216.tif 000018
【図１７】
2010136216.tif 000019
【図１８】
2010136216.tif 000020